(57)【特許請求の範囲】
【請求項１】
上枠、下枠、左右の縦枠、を有する枠体と、
上框、下框、戸先框、召合框を有し、前記枠体内に設けられ見付け方向に移動自在な内障子及び外障子と、
前記外障子の前記召合框の上部を覆い、前記上枠に垂設されているレールに摺動する摺動部材と、
前記摺動部材に収容されて上下方向に移動可能な外れ止め金具と、
を有する建具であって、
前記摺動部材は、前記レールが入り込み、前記外障子の移動方向に沿って形成された溝部と、
前記溝部と連通し当該溝部と交差する方向に開放されて下方側が閉塞された外れ止め金具挿入口と、
を有し、
前記召合框に取り付けられたときに、前記外れ止め金具挿入口が前記召合框にて閉塞されることを特徴とする建具。
【請求項２】
請求項１に記載の建具であって、
前記レールと前記摺動部材との間に気密片を有し、
前記摺動部材は、前記溝部と連通する気密片装着口を有し、
前記気密片装着口は、前記気密片が装着されて閉塞されることを特徴とする建具。
【請求項３】
請求項１または請求項２に記載の建具であって、
前記下枠は、前記内障子及び前記外障子を案内するレールを備え、
左右の縦枠は、前記内障子及び前記外障子を閉めたときに前記内障子及び前記外障子の前記戸先框に呑み込まれる突出壁を備え、
前記内障子及び前記外障子の前記上框、下框と前記レールとの間、前記戸先框と前記突出壁との間、前記内障子の前記召合框と前記外障子の前記召合框との間、前記内障子用のレールと前記外障子用のレールとの間の空間であって前記上枠と前記内障子及び前記外障子の召合框の上端との間、前記内障子用のレールと前記外障子用のレールとの間の空間であって前記下枠と前記内障子及び前記外障子の召合框の下端との間、は、弾性を有するシール部材にてシールされていることを特徴とする建具。
【請求項４】
請求項２または請求項３に記載の建具であって、
前記気密片装着口は、前記溝部を形成する周壁を貫通するスリットであって、前記摺動部材において前記召合框の上端を覆う天部と前記溝部の底との間を貫通しており、
前記気密片は弾性を有し、前記溝部の両側からそれぞれ前記スリットに入り込み前記レールの両側面に当接されるひれ部と、前記周壁を外側から覆う本体部と、を有することを特徴とする建具。
【発明の詳細な説明】
【技術分野】
【０００１】
本発明は、上枠、下枠、左右の縦枠、を有する枠体と、前記枠体内に設けられ見付け方向に移動自在な内障子及び外障子と、を有する建具に関する。
【背景技術】
【０００２】
従来から、上枠、下枠、左右の縦枠、を有する枠体と、前記枠体内に設けられ見付け方向に移動自在な内障子及び外障子と、を有する建具は、内障子及び外障子（以下、障子という）を取り付ける際には、まず、上枠に垂設されている上レールが、障子の上部に設けられた振れ止め部材の溝部に入り込むように、障子を持ち上げる。次に下枠に立設されている下レールの上方に下框が位置するように障子を移動させる。その後、下レール上に障子に設けられた戸車が載置されるように障子を下ろして取り付ける。所謂けんどん方式にて枠体内に障子を載置する。このように障子が、上下方向に移動可能な状態では、何らかの原因で障子が持ち上げられると、障子が枠体から外れる畏れがある。このため、障子が外れることを防止するために、振れ止め部材に下方から挿入され上方向に移動させた後に振れ止め部材に固定されることにより、障子の上方への移動量を小さくして、障子が枠体から外れることを防止する外れ止め金具を備えた建具が知られている（例えば、特許文献１参照）。
【特許文献１】実公昭６４−１４１７号公報
【発明の開示】
【発明が解決しようとする課題】
【０００３】
上記のような建具が屋内外を仕切る窓に設けられる場合には、気密性が求められるため、枠体と障子の縦横の框との間、及び、内障子と外障子との間にシール材が設けられている。しかしながら、上述した建具のように、振れ止め部材に下方から挿入されて上方向に移動される外れ止め金具が備えられた構成では、外れ止め金具が挿入されて移動する穴と、振れ止め部材の溝部および縦横の框を連結するために框に加工された孔と、が連通することになる。このため、外気が振れ止め部材の溝部および縦横の框を連結するために框に加工された孔から振れ止め部材内を通って縦框内を抜け、下框を経由して室内に入り込む流路が形成されてしまい、シール材にてシールしたにも拘わらず気密性能の低下を招く畏れがあるという課題があった。
【０００４】
本発明は、かかる課題に鑑みてなされたものであり、その目的とするところは、障子の外れ止め金具を備えつつも高い気密性が得られる建具を提供することにある。
【課題を解決するための手段】
【０００５】
上枠、下枠、左右の縦枠、を有する枠体と、上框、下框、戸先框、召合框を有し、前記枠体内に設けられ見付け方向に移動自在な内障子及び外障子と、前記外障子の前記召合框の上部を覆い、前記上枠に垂設されているレールに摺動する摺動部材と、前記摺動部材に収容されて上下方向に移動可能な外れ止め金具と、を有する建具であって、前記摺動部材は、前記レールが入り込み、前記外障子の移動方向に沿って形成された溝部と、前記溝部と連通し当該溝部と交差する方向に開放されて下方側が閉塞された外れ止め金具挿入口と、を有し、前記召合框に取り付けられたときに、前記外れ止め金具挿入口が前記召合框にて閉塞されることを特徴とする建具である。
【０００６】
このような建具によれば、外障子の召合框に取り付けられる摺動部材には、上下方向に移動可能な外れ止め金具が外れ止め金具挿入口から挿入されて収容される。この外れ止め金具挿入口は、下方側が閉塞されるとともに摺動部材が前記召合框に取り付けられたときには、召合框により閉塞される。このため、たとえ外気が溝部に進入したとしても、外れ止め金具挿入口を経由して召合框内に進入しないので、外気が室内に流入することを防止することが可能である。よって、外れ止め金具を備えつつも高い気密性を得ることが可能である。
【０００７】
かかる建具であって、前記レールと前記摺動部材との間に気密片を有し、前記摺動部材は、前記溝部と連通する気密片装着口を有し、前記気密片装着口は、前記気密片が装着されて閉塞されることが望ましい。
【０００８】
このような建具によれば、気密片によりレールと摺動部材との間が閉塞され、また、気密片を摺動部材に取り付けるための気密片装着口も気密片により閉塞される。このため、外気が気密片装着口から召合框内に進入しないので、外気が室内に流入することを防止することが可能である。
【０００９】
かかる建具であって、前記下枠は、前記内障子及び前記外障子を案内するレールを備え、左右の縦枠は、前記内障子及び前記外障子を閉めたときに前記内障子及び前記外障子の前記戸先框に呑み込まれる突出壁を備え、前記内障子及び前記外障子の前記上框、下框と前記レールとの間、前記戸先框と前記突出壁との間、前記内障子の前記召合框と前記外障子の前記召合框との間、前記内障子用のレールと前記外障子用のレールとの間の空間であって前記上枠と前記内障子及び前記外障子の召合框の上端との間、前記内障子用のレールと前記外障子用のレールとの間の空間であって前記下枠と前記内障子及び前記外障子の召合框の下端との間、は、弾性を有するシール部材にてシールされていることが望ましい。
【００１０】
このような建具によれば、内障子と外障子と閉めた際には、内障子と外障子との外周部と枠体との間、及び、内障子と外障子が各々有する召合框間がシールされるので、枠体により形成されている開口を気密に閉塞することが可能である。また、外障子の召合框に取り付けられた摺動部材の外れ止め金具挿入口および気密片装着口も閉塞されているので、気密性をより向上させることが可能である。
【００１１】
かかる建具であって、前記気密片装着口は、前記溝部を形成する周壁を貫通するスリットであって、前記摺動部材において前記召合框の上端を覆う天部と前記溝部の底との間を貫通しており、前記気密片は弾性を有し、前記溝部の両側からそれぞれ前記スリットに入り込み前記レールの両側面に当接されるひれ部と、前記周壁を外側から覆う本体部と、を有することが望ましい。
【００１２】
このような建具によれば、摺動部材に設けられた溝部は、周壁を貫通するスリットにより溝部内と召合框内とは連通しているが、スリット内に入り込んだ気密片のひれ部により溝部とレールとの間隙が閉塞され、さらに溝部の周壁は外側から気密片の本体部によって覆われているので、気密片装着口も閉塞される。このため、外障子の召合框の上部から外気が框内に入り込むことを防止することが可能である。また、気密片を弾性変形させて摺動部材に容易に装着することが可能である。
【発明の効果】
【００１３】
本発明によれば、障子の外れ止め金具を備えつつも高い気密性が得られる建具を提供することができるという効果がある。
【発明を実施するための最良の形態】
【００１４】
以下、本発明の一実施形態に係る建具として、建物の開口に取り付けられる引き違い窓用の建具について図面を参照して説明する。以下の説明においては、建具を屋内側から見たときに上下となる方向を上下方向、左右となる方向を左右方向または見付け方向、奥行き方向を見込み方向として示す。
【００１５】
図１は、本実施形態に係る建具を室内側から見た図である。  
図示するように、本実施形態の建具１０は、建物の開口に取り付けられる枠体１１と、枠体１１に設けられ見付け方向に移動自在な内障子２０及び外障子３０と、を有している。
【００１６】
図２は、本実施形態の建具を示す縦断面図である。図３は、本実施形態の建具を示す横断面図である。
【００１７】
枠体１１は、左縦枠１２、右縦枠１３、上枠１４、下枠１５とが建物の開口に取り付けられて矩形状を成している。上枠１４には、内障子２０、外障子３０を案内する上側内レール１４ａと、上側外レール１４ｂとが、見付け方向に沿って鉛直方向に垂設されている。また、下枠１５には、内障子２０、外障子３０を案内する下側内レール１５ａと、下側外レール１５ｂとが、見付け方向に沿って鉛直方向に立設されている。
【００１８】
また、左縦枠１２には、外障子３０が閉められた際に外障子３０の戸先框に入り込む突出壁１２ａが上下方向のほぼ全域に亘って設けられている。また、右縦枠１３には、内障子２０が閉められた際に戸先框に入り込む突出壁１３ａが上下方向のほぼ全域に亘って設けられている。そして、上側内レール１４ａ、下側内レール１５ａ、及び、突出壁１３ａとは、見込み方向においてほぼ同じ位置に形成されており、上側内レール１４ａ、下側内レール１５ａ、及び、突出壁１３ａは、一つの仮想平面内に形成されている。また、上側外レール１４ｂ、下側外レール１５ｂ、及び、突出壁１２ａとは、見込み方向においてほぼ同じ位置に形成されており、上側外レール１４ｂ、下側外レール１５ｂ、及び、突出壁１２ａは、一つの仮想平面内に形成されている。
【００１９】
内障子２０及び外障子３０は、いずれも面材としての複層のガラス１６と、ガラス１６の左側に配置される左縦框２１、３１と、ガラス１６の右側に配置される右縦框２２、３２と、ガラス１６の上側に配置される上框２３、３３と、ガラス１６の下側に配置される下框２４、３４とを有している。本実施形態の内障子２０では、左縦框２１が召合框、右縦框２２が戸先框であり、外障子３０では、左縦框３１が戸先框、右縦框３２が召合框である。ガラス１６は、内障子２０を構成する各框２１、２２、２３、２４及び外障子３０を構成する各框３１、３２、３３、３４にガスケットを介して取り付けられている。
【００２０】
内障子２０を構成する左右の縦框２１、２２の上端部には、上側内レール１４ａが入り込むための切り欠きが設けられており、下端部には、下側内レール１５ａが入り込むための切り欠きが設けられている。また、内障子２０を構成する上框２３には、上方に開放された溝部２３ａが形成され、下框２４には、下方に開放された溝部２４ａが形成され、内部に戸車１７が設けられている。上框２３の溝部２３ａには、上側内レール１４ａが入り込み、下框２４の溝部２４ａには、下側内レール１５ａが入り込むと共に、戸車１７が下側内レール１５ａに支持される。ここで、上側内レール１４ａと下側内レール１５ａとが、内障子用のレールに相当する。
【００２１】
また、内障子２０の右縦框２２には、右方向すなわち右縦枠１３側に向かって開放された溝部２２ａが上下方向のほぼ全域に亘って設けられている。この溝部２２ａ内には、内障子２０を閉めた際に、右縦枠１３に設けられた突出壁１３ａが入り込む。そして、溝部２２ａ内には、入り込んだ突出壁１３ａと接触して内障子２０の見込み方向の位置を規制するガイド部材４１と、溝部２２ａの室外側壁部２２ｂの内側面に設けられたシール部材４２が上下方向のほぼ全域に亘って設けられている。このため、内障子２０を閉めた際には、溝部２２ａに入り込んだ突出壁１３ａとガイド部材４１とが接触して、内障子２０の見込み方向の位置が規制され、さらに、シール部材４２が突出壁１３ａに、上下方向のほぼ全域に亘って押圧されて右縦枠１３と右縦框２２との間が気密に閉塞される。
【００２２】
外障子３０を構成する左右の縦框３１、３２の上端部には、上側外レール１４ｂが入り込むための切り欠きが設けられており、下端部には、下側外レール１５ｂが入り込むための切り欠きが設けられている。また、外障子３０を構成する上框３３には、上方に開放された溝部３３ａが形成され、下框３４には、下方に開放された溝部３４ａが形成され、内部に戸車１７が設けられている。上框３３の溝部３３ａには、上側外レール１４ｂが入り込み、下框３４の溝部３４ａには、下側外レール１５ｂが入り込むと共に、戸車１７が下側外レール１５ｂに支持される。ここで、上側外レール１４ｂと下側外レール１５ｂとが、外障子用のレールに相当する。
【００２３】
また、外障子３０の左縦框３１には、左方向すなわち左縦枠１２側に向かって開放された溝部３１ａが上下方向のほぼ全域に亘って設けられている。この溝部３１ａ内には、外障子３０を閉めた際に、左縦枠１２に設けられた突出壁１２ａが入り込む。そして、溝部３１ａ内には、入り込んだ突出壁１２ａと接触して外障子３０の見込み方向の位置を規制するガイド部材４１と、溝部３１ａの室外側壁部３１ｂの内側面に設けられたシール部材４２が上下方向のほぼ全域に亘って設けられている。このため、外障子３０を閉めた際には、溝部３１ａに入り込んだ突出壁１２ａとガイド部材４１とが接触して、外障子３０の見込み方向の位置が規制され、シール部材４２が突出壁１２ａに、上下方向のほぼ全域に亘って押圧されて、左縦枠１２と左縦框３１との間が気密に閉塞されている。
【００２４】
また、内障子２０及び外障子３０の上框２３、３３の溝部２３ａ、３３ａにおける室外側壁部内面２３ｂ、３３ｂと、下框２４、３４の溝部２４ａ、３４ａにおける室外側壁部内面２４ｂ、３４ｂとにシール部材４３がほぼ全域に亘って設けられている。そして、各溝部２３ａ、２４ａ、３３ａ、３４ａ内では、その内部に入り込んでいる上側内レール１４ａ、上側外レール１４ｂ、下側内レール１５ａ、下側外レール１５ｂに室外側からそれぞれシール部材４３が押圧されて、上框２３と上側内レール１４ａの間、下框２４と下側内レール１５ａとの間、上框３３と上側外レール１４ｂとの間、下框３４と下側外レール１５ｂとの間がそれぞれ気密に閉塞されている。
【００２５】
また、外障子３０の右縦框３２の室内側面３２ａには、上下方向に亘ってシール部材４４が設けられており、内障子２０と外障子３０とがいずれも閉められた際には、シール部材４４が内障子２０の左縦框２１の室外側面２１ａと接触し、例えばクレセントなどの施錠装置４８にて施錠された際には、シール部材４４が左縦框２１の室外側面２１ａに押圧されて気密に閉塞される。
【００２６】
さらに、内障子２０と外障子３０とがいずれも閉められた際に、内障子２０の右縦框２２と外障子３０の左縦框３１との上方の空間であって上側内レール１４ａと上側外レール１４ｂとの間、及び、内障子２０の右縦框２２と外障子３０の左縦框３１との下方の空間であって下側内レール１５ａと下側外レール１５ｂとの間、を閉塞するための弾性を有するシール部材としての風止板４５がそれぞれ設けられている。この風止板４５は、見込み方向に沿って複数のフィン状に形成されたシール片が鉛直方向に設けられており、内障子２０と外障子３０とが移動する際には、内障子２０と外障子３０との上端部及び下端部がシール片に接触することにより、内障子２０の右縦框２２と外障子３０の左縦框３１との上方及び下方の空間を気密に閉塞している。
【００２７】
また、内障子２０及び外障子３０を構成する左右の縦框２１、２２、３１、３２には、上部を覆い、内障子２０及び外障子３０が移動する際に上側内レール１４ａ及び上側外レール１４ｂと摺動する摺動部材５０が設けられている。
【００２８】
図４は、右縦框に装着される摺動部材、気密片、外れ止め金具を説明するための図である。図５は、摺動部材等が右縦框に装着された状態を示す図４におけるＡ矢視図である。図６は、摺動部材を説明するために下側から見た図である。図７は、図４におけるＢ矢視図である。図８は、図７におけるＣ―Ｃ断面図である。図９は、気密片と気密片の取付方法を説明するための図である。以下の説明では、摺動部材５０が外障子３０に取り付けられた際に、見付け方向にて外部に露出する側を外方方向、右縦框３２と上框３３とが接合されている側を上框側として説明する。
【００２９】
摺動部材５０には、上側内レール１４ａ及び上側外レール１４ｂが入り込むために見付け方向に沿った溝部としての摺動溝部５０ａが設けられている。この摺動溝部５０ａは、上側内レール１４ａ及び上側外レール１４ｂが入り込む上下方向の長さより十分に深く形成されている。これは、内障子２０及び外障子３０の枠体１１への取り付けに起因している。具体的には、縦框２１、２２、３１、３２の下端及び下框２４、３４の下端より上方に戸車１７が位置しているため、内障子２０及び外障子３０を枠体１１に取り付ける際には、内障子２０及び外障子３０を取り付けた状態よりも高く持ち上げなければならない。このとき、上側内レール１４ａ及び上側外レール１４ｂが、内障子２０及び外障子３０を枠体１１に取り付けられた状態よりも深く摺動溝部５０ａ内に入り込むため、摺動溝部５０ａは、上側内レール１４ａ及び上側外レール１４ｂが入り込む長さより十分に深く形成されている。そして、摺動部材５０が有する摺動溝部５０ａと、その内部に入り込む上側外レール１４ｂとの間を気密にシールするための気密片４９が摺動部材５０に嵌め付けられている。
【００３０】
ところで、内障子２０及び外障子３０が単に枠体１１に取り付けられただけでは、何らかの原因で内障子２０及び外障子３０が上方に移動され枠体１１から外れる畏れがある。このため、少なくとも外障子３０の右縦框３２に取り付けられる摺動部材５０には、外れ止め金具６０が設けられている。
【００３１】
外れ止め金具６０は、摺動部材５０内に設けられた収容空間５０ｃ内に挿入されて上下方向に移動し、上方に移動された際には摺動溝部５０ａ内に進入し、下方に移動された際には摺動溝部５０ａ外に退避するように構成されている。そして、この外れ止め金具６０は、外障子３０を枠体１１に取り付けた後に、外れ止め金具６０を上方に上げて摺動部材５０にねじで固定される。このように外障子３０の上下方向の移動量を小さくして枠体１１から外障子３０が外れることを防止している。このため、摺動部材５０は、外れ止め金具６０が収容される収容空間５０ｃと、収容空間５０ｃ内に外れ止め金具６０を挿入するための外れ止め金具挿入口５０ｂと、を有し、外れ止め金具６０は上方に移動されることにより摺動溝部５０ａに進入する。このため、収容空間５０ｃと摺動溝部５０ａとは連通されている。
【００３２】
気密片４９は、弾性を有しており、断面がほぼコ字状をなす本体部４９ａと、本体部４９ａにおいてコ字状の開放された側に設けられたひれ部４９ｂとを有する。気密片４９は、摺動部材５０に装着される際に、コ字状の開放された側が上方に向けられる。ここで、気密片４９の説明においては、摺動部材５０に装着される姿勢において上下方向、見付け方向、見込み方向を示す。
【００３３】
気密片４９の本体部４９ａの開放された端部には、コ字状の内側に向かって突出され、摺動部材５０の凹部に入り込むフック部４９ｃが形成されている。ひれ部４９ｂは、本体部４９ａの見付け方向における中央から、コ字状の内側に向かって、本体部４９ａと垂直に形成されている。ひれ部４９ｂは薄肉状の部材であり、コ字状をなす本体部４９ａの対向する部位に各々設けられている。
【００３４】
外障子３０の右縦框（召合框）３２は、室外側に露出しているので、右縦框（召合框）３２の上部に設けられた摺動部材５０の摺動溝部５０ａおよび後述する長孔５２ａから進入した外気は、収容空間５０ｃを経由して外れ止め金具挿入口５０ｂに抜けていく。そして、外れ止め金具挿入口５０ｂを抜けた外気は右縦框３２内に入り込むと、右縦框３２内部を経由して下框との連通部分まで流入し、さらに下框３４に入り込んでいる下側外レール１５ｂの室内側から室内に流入してしまう畏れがある。このため、本実施形態の摺動部材５０は、摺動部材５０が外障子３０の右縦框３２に取り付けられた際に、右縦框３２により外れ止め金具挿入口５０ｂが閉塞されるように形成されている。
【００３５】
図４に示すように、摺動部材５０には、外れ止め金具６０が収容されると共に、気密片４９が装着された状態で、外障子３０の右縦框３２にて上下方向に貫通する矩形状の中空部３２ｂに上方から挿入される。このとき、摺動部材５０の上部に設けられた水平面をなす天部５７により右縦框３２の上端が覆われる。
【００３６】
摺動部材５０は、天部５７から下方に凹設され見付け方向に沿って形成された摺動溝部５０ａを有し、見付け方向の最も外方側に右縦框３２の外側に配置される外面部５２と、外面部５２より上框側に設けられた外れ止め金具６０の収容部５４と、収容部５４より上框側に設けられた気密片４９の装着壁５６と、最も上框側にて右縦框３２の上框側面３２ｄ沿わされるガイド壁５８とガイド壁５８から上框側に突出されて上框側面３２ｄに係止される係止部５９とを有している。
【００３７】
外面部５２には、収容空間５０ｃと連通する長孔５２ａが形成されており、この長孔５２ａは上下方向に長く形成されている。この長孔５２ａは、収容部５４に収容された外れ止め金具６０のねじ穴６０ａに螺合されるねじ７０が貫通するための孔であり、外れ止め金具６０は、ねじ７０が緩められて上下方向に移動可能となり、ねじ７０が締められてねじ７０頭部と外れ止め金具６０とにより摺動部材５０が挟持されて固定される。
【００３８】
収容部５４は、見付け方向に沿う溝部５０ａと直交する方向に沿わされた２枚の収容壁部５４ａが見付け方向に間隔を隔てて形成されており、それらの収容壁部５４ａの下端を連結する連結部５４ｂが形成されている。２枚の収容壁部５４ａのうち外方側の収容壁部５４ａと外面部５２との間には、右縦框３２に取り付けられる際に、右縦框３２の外方側面３２ｃが差し込まれる凹部５３が形成されている。また、２枚の収容壁部５４ａの間隔は、内部に収容される外れ止め金具６０の幅より僅かに広く形成され、２枚の収容壁部５４ａ間が収容空間５０ｃとなる。
【００３９】
２枚の収容壁部５４ａの間には、外れ止め金具６０が上下方向に移動する際に案内されるガイド部５４ｃが設けられている。収容空間５０ｃは、溝部５０ａと直交する方向に貫通するように形成されており見込み方向の端部は開放されている。外れ止め金具６０は、ガイド部５４ｃとは反対側から収容空間５０ｃに挿入される。すなわち、ガイド部５４ｃとは反対側であって、２枚の収容壁部５４ａ、連結部５４ｂ、天部５７にて囲まれた開口が外れ止め金具６０を挿入するための外れ止め金具挿入口５０ｂである。２枚の収容壁部５４ａ見込み方向の幅は、右縦框３２の見込み方向の内幅とほぼ同じである。そして、摺動部材５０は右縦框３２に圧入されることにより取り付けられ、圧入された状態では、２枚の収容壁部５４ａの見込み方向の両側が右縦框３２の内壁３２ｅにより閉塞される。このため、外れ止め金具６０の収容空間５０ｃから右縦框３２内部に連通する経路は閉ざされる。
【００４０】
２枚の収容壁部５４ａのうち上框側に位置する収容壁部５４ａと装着壁５６との間には、摺動溝部５０ａを形成する周壁５０ｅを囲む空間が設けられており、この空間が気密片４９が装着される気密片装着部５５となる。装着壁５６は、装着される気密片４９の外形形状とほぼ同じ大きさに形成されている。装着部５５は、気密片４９のおよそ肉厚分だけ装着壁５６より小さく形成され、上框側に位置する収容壁部５４ａと装着壁５６との間であって、見付け方向のほぼ中間位置に見込み方向に貫通する気密片装着口としてのスリット５５ａが設けられている。このスリット５５ａは、天部５７と摺動溝部５０ａの底５０ｇとの間を貫通するように、摺動溝部５０ａを形成する周壁５０ｅの室内側及び室外側とに形成されている。また、天部５７の下側には、気密片４９のフック部４９ｃが入り込む凹部５０ｆが形成されている。
【００４１】
そして、気密片４９は、図９に示すように、摺動部材５０の下方から、気密片４９の弾性により本体部４９ａの開放側を大きく開いて、装着部５５に周壁５０ｅを囲むように装着する。このとき、ひれ部４９ｂが摺動溝部５０ａの両側に設けられたスリット５５ａから摺動溝部５０ａ内に入り込むと共に、フック部４９ｃが凹部５０ｆに入り込み、スリット５５ａが本体部４９ａにより覆われて閉塞される。
【００４２】
本実施形態の建具１０によれば、外障子３０の召合框３２に取り付けられる摺動部材５０には、上下方向に移動可能な外れ止め金具６０が外れ止め金具挿入口５０ｂから挿入されて収容される。この外れ止め金具挿入口５０ｂは、下方側が連結部５４ｂにより閉塞されるとともに摺動部材５０が召合框３２に取り付けられたときには、召合框３２の内壁３２ｅにより閉塞される。このため、たとえ外気が摺動溝部５０ａに進入したとしても、外れ止め金具挿入口５０ｂを経由して召合框３２内に進入しないので、外気が室内に流入することを防止することが可能である。よって、外れ止め金具を備えつつも高い気密性を得ることが可能である。
【００４３】
また、上側外レール１４ｂと摺動部材５０の摺動溝部５０ａとの間を閉塞する気密片４９のひれ部４９ｂがスリット５５ａに入り込むと共に、その周囲を、摺動溝部５０ａを形成する周壁５０ｅを本体部４９ａが囲むように気密片４９が装着される。このため、摺動溝部５０ａと召合框３２とを連通するスリット５５ａも閉塞されるので、スリット５５ａからの外気の室内への流入を防止することが可能である。このとき、気密片４９を弾性変形させて摺動部材５０に容易に装着することが可能である。
【００４４】
また、内障子２０と外障子３０と閉めた際には、内障子２０と外障子３０との外周部と枠体１１との間、及び、内障子２０と外障子３０が各々有する召合框間２１、３２がシールされるので、枠体１１により形成されている開口を気密に閉塞することが可能である。また、外障子３０の召合框３２に取り付けられた摺動部材５０の外れ止め金具挿入口５０ｂおよびスリット５５ａも閉塞されているので、気密性をより向上させることが可能である。
【００４５】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。特に、以下に述べる実施形態であっても、本発明に含まれるものである。
【図面の簡単な説明】
【００４６】
【図１】本実施形態に係る建具を室内側から見た図である。
【図２】本実施形態の建具を示す縦断面図である。
【図３】本実施形態の建具を示す横断面図である。
【図４】右縦框に装着される摺動部材、気密片、外れ止め金具を説明するための図である。
【図５】摺動部材等が右縦框に装着された状態を示す図４におけるＡ矢視図である。
【図６】摺動部材を説明するために下側から見た図である。
【図７】図４におけるＢ矢視図である。
【図８】図７におけるＣ―Ｃ断面図である。
【図９】気密片と気密片の取付方法を説明するための図である。
【符号の説明】
【００４７】
１０  建具、１１  枠体、１２  左縦枠、１２ａ  突出壁、１３  右縦枠、
１３ａ  突出壁、１４  上枠、１４ａ  上側内レール、１４ａ  突出壁、
１４ｂ  上側外レール、１５  下枠、１５ａ  下側内レール、
１５ｂ  下側外レール、２０  内障子、２１  左縦框、２２  右縦框、２３  上框、
２４  下框、３０  外障子、３１  左縦框、３２  右縦框、３３  上框、
３４  下框、４２  シール部材、４３  シール部材、４４  シール部材、
４５  風止板、４９  気密片、４９ａ  本体部、４９ｂ  ひれ部、５０  摺動部材、
５０ａ  摺動溝部、５０ｂ  外れ止め金具挿入口、５５  気密片装着部、
５５ａ  スリット（気密片装着口）、５７  天部、６０  外れ止め金具
【図１】
0004503548.tif 000002
【図２】
0004503548.tif 000003
【図３】
0004503548.tif 000004
【図４】
0004503548.tif 000005
【図５】
0004503548.tif 000006
【図６】
0004503548.tif 000007
【図７】
0004503548.tif 000008
【図８】
0004503548.tif 000009
【図９】
0004503548.tif 000010